(57)【要約】【課題】運転者の注意を運転操作から逸らし難く、音楽、雑音等による干渉を受けることなく確実に進行方向を指示できる衛星ナビゲータの方向指示装置を提供すること。【解決手段】外側がカバー体３で被覆された本体２と、カバー体３の外面に距離をあけて配置された複数の発光部材３１１を有する指示ユニットとを備え、各発光部材３１１は互いに異なる進行方向と対応し、本体２の内部に、人工衛星から得たデータに基づいてナビゲーション信号を発信するナビゲーションモジュールと、ナビゲーション信号を受けて、指示ユニットへ指示信号を発信する方向指示モジュールとを設け、指示ユニットは、指示信号を受けて発光部材３１１を択一的に発光させることにより進行方向を表示する。【選択図】図３
0003145930.tif 000002
【実用新案登録請求の範囲】
【請求項１】
外側がカバー体で被覆された本体と、前記カバー体の外面に距離をあけて配置された複数の発光部材を有する指示ユニットとを備え、前記各発光部材は互いに異なる進行方向と対応し、前記本体の内部に、人工衛星から得たデータに基づいてナビゲーション信号を発信するナビゲーションモジュールと、前記ナビゲーション信号を受けて、前記指示ユニットへ指示信号を発信する方向指示モジュールとを設け、前記指示ユニットは、前記指示信号を受けて前記発光部材を択一的に発光させることにより、進行方向を表示することを特徴とした衛星ナビゲータの方向指示装置。
【請求項２】
前記発光部材が点滅光を発光する請求項１に記載された衛星ナビゲータの方向指示装置。
【請求項３】
前記本体にディスプレイパネルを設け、該ディスプレイパネルを介して前記ナビゲーション信号が出力される請求項１又は２に記載された衛星ナビゲータの方向指示装置。
【考案の詳細な説明】
【技術分野】
【０００１】
本考案は、衛星ナビゲータの方向指示装置に関する。
【背景技術】
【０００２】
近年、人工衛星から送信されるデータに基づいて目標地点までの道順、道路の混雑状況等を知らせる衛星ナビゲータが普及してきており、技術の進歩に伴って、軽くて薄い小型の装置が次々に開発されている。
通常、運転者が衛星ナビゲータを使用する際には、運転者が見やすい位置に設置した固定架に方向指示装置を取り付け、方向指示装置のモニタに表示された画像、或いは、方向指示装置が発する音声により現在位置や道順を確認している。
【０００３】
しかし、従来の衛星ナビゲータの方向指示装置では、運転者は運転操作を行いながら、モニタの表示を注視しなければならないので、運転者の注意力がそがれて事故を起こす危険性がある。
また、車内のオーディオ機器、ラジオ等で音楽やニュースを聞いている時に、方向指示装置から音声による指示があっても、同時に発せられた音が重なって、指示を正確に聞き取り難い。
【考案の開示】
【考案が解決しようとする課題】
【０００４】
本考案が解決しようとする課題は、運転者の注意を運転操作から逸らし難く、音楽、雑音等による干渉を受けることなく確実に進行方向を指示できる衛星ナビゲータの方向指示装置を提供することにある。
【課題を解決するための手段】
【０００５】
本考案の衛星ナビゲータの方向指示装置は、外側がカバー体で被覆された本体と、前記カバー体の外面に距離をあけて配置された複数の発光部材を有する指示ユニットとを備え、前記各発光部材は互いに異なる進行方向と対応し、前記本体の内部に、人工衛星から得たデータに基づいてナビゲーション信号を発信するナビゲーションモジュールと、前記ナビゲーション信号を受けて、前記指示ユニットへ指示信号を発信する方向指示モジュールとを設け、前記指示ユニットは、前記指示信号を受けて前記発光部材を択一的に発光させることにより、進行方向を表示する。
前記発光部材が点滅光を発光することもある。
前記本体にディスプレイパネルを設け、該ディスプレイパネルを介して前記ナビゲーション信号を出力しても良い。
【考案の効果】
【０００６】
本考案によれば、進行方向と対応した発光部材が発光することにより進行方向を指示するので、ディスプレイパネルの画像表示を見ていないときでも運転者の注意を引きやすく、また、音声による進行方向の指示が音楽や雑音で消されても進行方向を確認できるので、確実にナビゲーションを行なうことができる。
さらに、ディスプレイパネルによる方向指示を注視しなくても進行方向を知ることが可能なため、運転操作がおろそかになる心配がなく、交通事故が発生する危険性を小さくすることができる。
【考案を実施するための最良の形態】
【０００７】
以下、本考案の実施例を図面に基づいて詳細に説明する。
図１に示すように、衛星ナビゲータの方向指示装置１は、使用者が見やすい箇所に設置可能な本体２を備える。
図２に示すように、本体２の内部には音声装置２１が設けられ、図１に示すように、本体２の正面にディスプレイパネル２２が設置される。
ディスプレイパネル２２は、通常のナビゲータと同様、使用者が画像による表示を用いて目的地等を設定できるようになっている。
また、ディスプレイパネル２２の外周囲がカバー体３で被覆され、カバー体３上に指示ユニット３１が設置される。指示ユニット３１は、ＬＥＤ等より成る複数の（本実施例では３個の）発光部材３１１を有する。発光部材３１１は、互いに異なる進行方向と対応し、カバー体３の上面に適当な距離をあけて配置される。
【０００８】
また、本体２内には、図２に示すように、人工衛星から得たデータに基づいてナビゲーション信号２３１を発信するナビゲーションモジュール２３と、指示信号２４１を発信する方向指示モジュール２４とが設けられる。
ナビゲーションモジュール２３は方向指示モジュール２４に接続され、ナビゲーション信号２３１を方向指示モジュール２４へ送信する。
方向指示モジュール２４はナビゲーション信号２３１を受けて、指示ユニット３１へ指示信号２４１を発信する。
さらに、ナビゲーション信号２３１はディスプレイパネル２２及び音声装置２１を介して出力され、指示信号２４１は指示ユニット３１を介して出力される。
【０００９】
方向指示装置１を使用する際は、本体２を使用者の見やすい位置に設置し、ディスプレイパネル２２でナビゲーションを行ないたい路線や目的地を設定する。
ナビゲーションモジュール２３は、使用者の設定に合致するよう人工衛星による検索を行い、人工衛星から得たデータに基づいて路線計画を作成し、ナビゲーション信号２３１を発信する。
図３及び図４に示すように、ナビゲーション信号２３１はディスプレイパネル２２を介して出力され、ディスプレイパネル２２に左折、直進、右折等の表示がなされる。また、ナビゲーション信号２３１は音声装置２１によっても出力され、音声で進行方向等が指示される。
【００１０】
方向指示モジュール２４は、ナビゲーションモジュール２３から発信されたナビゲーション信号２３１を受けると、指示信号２４１を指示ユニット３１へ送信する。
指示ユニット３１は指示信号２４１を受けると、その指示信号２４１が示す進行方向と対応する発光部材３１１のみを選択して発光させる。
例えば、指示ユニット３１が左折の指示信号２４１を受けると、図３に示すように、ディスプレイパネル２２に左折の表示がなされるだけでなく、左側の発光部材３１１（左折と対応する発光部材３１１）が発光して左折を指示する。
【００１１】
一方、指示ユニット３１が右折の指示信号２４１を受けると、図４に示すように、ディスプレイパネル２２に右折の表示がなされ、右側の発光部材３１１（右折と対応する発光部材３１１）が発光して右折を指示する。
また、指示ユニット３１の受信した指示信号２４１が直進のままであれば、中央の発光部材３１１（直進と対応する発光部材３１１）が発光して直進を指示する。
このように発光部材３１１が発光して進行方向を知らせるので、運転者が道路状況を見ているときでも、発光部材３１１の光が目に入り、ディスプレイパネル２２を注視しなくても進むべき進路を知ることができる。
【００１２】
なお、直進と対応する中央の発光部材３１１は省略することもでき、分岐路の数が多いときにも進行方向を知らせることができるように、発光部材３１１の数を増加することも可能である。
また、いっそう運転者の注意を引きやすくするために、発光部材３１１が点滅光を発するようにしても良い。
【図面の簡単な説明】
【００１３】
【図１】本考案の実施例を示す衛星ナビゲータの方向指示装置の斜視図。
【図２】本考案の実施例を示す方向指示装置のブロック図。
【図３】方向指示装置の使用状態における斜視図。
【図４】方向指示装置の他の使用状態における斜視図。
【符号の説明】
【００１４】
１  衛星ナビゲータの方向指示装置
２  本体
２１  音声装置
２２  ディスプレイパネル
２３  ナビゲーションモジュール
２３１  ナビゲーション信号
２４  方向指示モジュール
２４１  指示信号
３  カバー体
３１  指示ユニット
３１１  発光部材
【図１】
0003145930.tif 000003
【図２】
0003145930.tif 000004
【図３】
0003145930.tif 000005
【図４】
0003145930.tif 000006